(57)【要約】【課題】フロントケースの剛性の向上、携帯端末の薄型化およびデザイン性の向上が可能な携帯端末の提供。【解決手段】嵌合可能な第１筐体（フロントケース）２１および第２筐体（リアカバー）２２を含む携帯端末であって、第２筐体（リアカバー）２２の側壁２２ａが第１筐体（フロントケース）２１の側壁２１ａの内側に嵌合し、かつ第１筐体２１（フロントケース）の側壁２１ａ内部には金属板（板金）２３が挿入される。これにより、フロントケースの剛性の向上、携帯端末の薄型化およびデザイン性の向上が可能となる。【選択図】      図３
2009071461.tif 000002
【特許請求の範囲】
【請求項１】
嵌合可能な第１筐体および第２筐体を含む携帯端末であって、
前記第２筐体の側壁が前記第１筐体の側壁の内側に嵌合し、かつ前記第１筐体の側壁内部には金属板が挿入されることを特徴とする携帯端末。
【請求項２】
前記金属板は前記第１筐体の側壁内部において折り曲げられることを特徴とする請求項１記載の携帯端末。
【請求項３】
前記第１筐体は額縁形状をなすことを特徴とする請求項１または２記載の携帯端末。
【請求項４】
前記第１筐体の上面に表示部ユニットが設けられ、下面にプリント基板が設けられることを特徴とする請求項１から３いずれかに記載の携帯端末。
【請求項５】
前記表示部ユニットの上面にスクリーンが設けられ、前記プリント基板の下面に前記第２筐体が設けられることを特徴とする請求項４記載の携帯端末。
【請求項６】
第１筐体および第２筐体を含む筐体の嵌合構造であって、
前記第２筐体の側壁が前記第１筐体の側壁の内側に嵌合し、かつ前記第１筐体の側壁内部には金属板が挿入されることを特徴とする筐体の嵌合構造。
【請求項７】
前記金属板は前記第１筐体の側壁内部において折り曲げられることを特徴とする請求項６記載の筐体の嵌合構造。
【請求項８】
前記第１筐体は額縁形状をなすことを特徴とする請求項６または７記載の筐体の嵌合構造。
【請求項９】
前記第１筐体の上面に表示部ユニットが設けられ、下面にプリント基板が設けられることを特徴とする請求項６から８いずれかに記載の筐体の嵌合構造。
【請求項１０】
前記表示部ユニットの上面にスクリーンが設けられ、前記プリント基板の下面に前記第２筐体が設けられることを特徴とする請求項９記載の筐体の嵌合構造。
【発明の詳細な説明】
【技術分野】
【０００１】
本発明は、携帯端末およびその筐体の嵌合構造に関し、特に携帯電話機の筐体の嵌合構造に関する。
【背景技術】
【０００２】
携帯端末、一例として携帯電話機において、小型化および薄型化が進む中、相反して大画面化が要求されてきている。表示部が樹脂フレームで囲まれ、樹脂フレームの外側が金属板やダイカスト成形品等の高剛性材料にて保護され、保護された表示部ユニットがフロントケースに係合されるのが一般的な携帯電話機の構造である。
【０００３】
しかし、小型化および薄型化に伴う高密度実装において、これまでの機種のような構造をとることができず、十分な剛性を持たせるための構造をとることが困難になってきている。
【０００４】
図５は関連する携帯端末、一例として携帯電話機の一例の構成図である。同図において、図５（Ａ）は平面図、同図（Ｂ）はＡ−Ａ断面図、同図（Ｃ）はフロントケースとリアカバーの嵌合部１１の拡大図をそれぞれ示す。
【０００５】
同図（Ａ）〜（Ｃ）を参照すると、関連する携帯電話機の一例は、フロントケース（第１筐体）１と、リアカバー（第２筐体）２と、板金（金属板）３と、表示部ユニット４と、プリント基板５と、スクリーン６とを含んで構成される。
【０００６】
フロントケース１は額縁形状をなし、フロントケース１の側壁１ａの内部には板金３がインサート成形（挿入）される。板金３はフロントケース１の左右の側壁１ａ間に設けられる。
【０００７】
フロントケース１の上面には表示部ユニット４が設けられ、下面には板金３を介してプリント基板５が設けられる。
【０００８】
また、表示部ユニット４の上面にスクリーン６が設けられ、プリント基板５の下面にリアカバー２が設けられる。
【０００９】
そして、リアカバー２の側壁２ａの上部に板金３がインサートされたフロントケース１の側壁１ａが嵌合されている。
【００１０】
図６は関連する携帯端末、一例として携帯電話機の一例の外観図である。同図（Ａ）は同携帯電話機の側面図、同図（Ｂ）は同携帯電話機の平面図である。なお、図５と同様の構成部分には同一番号を付し、その説明を省略する。
【００１１】
同図（Ａ）に示すように、関連する携帯電話機ではフロントケース１とリアカバー２の嵌合部の割り線（パーティングライン）１２が外部に露出する。これは、図５（Ｃ）に示すように、リアカバー２の側壁２ａの上部にフロントケース１の側壁１ａが嵌合されているためである。
【００１２】
一方、筐体に板金をインサートする一例が特許文献１および２に開示され、リアカバーの側壁の上部にフロントケースの側壁を嵌合させる一例が特許文献３に開示されている。
【００１３】
【特許文献１】特開２００５−３１８１６０号公報
【特許文献２】特開２００６−０５３５３２号公報
【特許文献３】特開平１１−０５４９５２号公報
【発明の開示】
【発明が解決しようとする課題】
【００１４】
しかし、図５（Ｃ）に示すように、関連する携帯電話機の一例では、フロントケース１の側壁１ａの高さが比較的低いため、側壁１ａ内部の板金３の長さも比較的短くなり、このためフロントケース１の剛性が比較的低くなるという欠点がある。
【００１５】
また、同図に示すように、リアカバー２の側壁２ａの上部にフロントケース１の側壁１ａを嵌合させる構成であるため、携帯電話機の薄型化に貢献しないという欠点がある。
【００１６】
さらに、図６（Ａ）に示すように、フロントケース１とリアカバー２の嵌合部の割り線（パーティングライン）１２が外部に露出するため、デザイン性の向上に貢献しないという欠点がある。
【００１７】
そこで本発明の目的は、フロントケースの剛性の向上、携帯端末の薄型化およびデザイン性の向上が可能な携帯端末およびその筐体の嵌合構造を提供することにある。
【課題を解決するための手段】
【００１８】
前記課題を解決するために本発明による携帯端末は、嵌合可能な第１筐体および第２筐体を含む携帯端末であって、前記第２筐体の側壁が前記第１筐体の側壁の内側に嵌合し、かつ前記第１筐体の側壁内部には金属板が挿入されることを特徴とする。
【００１９】
また、本発明による筐体の嵌合構造は、第１筐体および第２筐体を含む筐体の嵌合構造であって、前記第２筐体の側壁が前記第１筐体の側壁の内側に嵌合し、かつ前記第１筐体の側壁内部には金属板が挿入されることを特徴とする。
【発明の効果】
【００２０】
本発明によれば、フロントケースの剛性の向上、携帯端末の薄型化およびデザイン性の向上が可能となる。
【発明を実施するための最良の形態】
【００２１】
以下、本発明の実施形態について、添付図面を参照しながら説明する。図１は本発明に係る携帯端末の第１筐体の一例の構成図である。同図において、図１（Ａ）は平面図、同図（Ｂ）はＡ−Ａ断面図、同図（Ｃ）はフロントケースの側壁部１５の拡大図をそれぞれ示す。なお、図５と同様の構成部分には同一番号を付し、その説明を省略する。
【００２２】
なお、本発明の実施形態では携帯端末の一例として携帯電話機の一例について説明するが、これに限定するものではなく、他の携帯端末、一例としてＰＤＡ（ｐｅｒｓｏｎａｌ  ｄｉｇｉｔａｌ  ａｓｓｉｓｔａｎｔ）等への適用も可能である。
【００２３】
図１（Ａ）〜（Ｃ）は便宜上、第１筐体の一例の構成のみを示している。同図（Ａ）〜（Ｃ）にはフロントケース（第１筐体）２１と、板金（金属板）２３とが主に表示されている。同図（Ｂ）および（Ｃ）を参照すると、フロントケース２１の側壁２１ａの内部に板金２３がインサート成形（挿入）されるが、この点は関連する携帯電話機（図５（Ｃ）参照）と同様である。
【００２４】
しかし、本発明では後述するリアカバー（第２筐体）２２の側壁２２ａをフロントケース２１の側壁２１ａの内側に嵌合させるために、フロントケース２１の側壁２１ａをリアカバー２２の側壁２２ａの外側に張り出すよう形成している点が図５（Ｃ）の構成と異なる。また、板金２３はフロントケース２１の側壁２１ａ内部において折り曲げられ、かつ側壁２１ａの張り出し部分に延出している点も図５（Ｃ）の構成と異なる。
【００２５】
次に、本発明に係る携帯端末の一例の構成について説明する。図２は本発明に係る携帯端末の一例の組立図である。なお、図５と同様の構成部分には同一番号を付し、その説明を省略する。
【００２６】
図２を参照すると、本発明に係る携帯端末の一例は、フロントケース（第１筐体）２１と、リアカバー（第２筐体）２２と、図示しない板金（金属板）２３と、表示部ユニット４と、プリント基板５と、スクリーン６とを含んで構成される。
【００２７】
フロントケース２１は額縁形状をなし、フロントケース２１の側壁２１ａの内部には板金２３がインサート成形（挿入）される。板金２３はフロントケース２１の左右の側壁２１ａ間に設けられる。
【００２８】
フロントケース２１の上面には表示部ユニット４が設けられ、下面には板金２３を介してプリント基板５が設けられる。
【００２９】
また、表示部ユニット４の上面にスクリーン６が設けられ、プリント基板５の下面にリアカバー２２が設けられる。スクリーン６はフロントケース２１の図示しない台座に貼り付け固定される。
【００３０】
そして、リアカバー２２の図示しない側壁２２ａと、板金２３がインサートされたフロントケース２１の側壁２１ａとが嵌合する。
【００３１】
次に、本発明に係る携帯端末における筐体の嵌合構造の一例について説明する。図３は本発明に係る携帯端末の一例の構成図である。同図において、図３（Ａ）は平面図、同図（Ｂ）はＡ−Ａ断面図、同図（Ｃ）はフロントケースとリアカバーの嵌合部１６の拡大図をそれぞれ示す。
【００３２】
同図（Ｃ）を参照すると、フロントケース２１の側壁２１ａとリアカバー２２の側壁２２ａとが嵌合した状態が示されている。すなわち、リアカバー２２の側壁２２ａをフロントケース２１の側壁２１ａの内側に嵌合させるために、フロントケース２１の側壁２１ａがリアカバー２２の側壁２２ａの外側に張り出すよう形成されている。
【００３３】
次に、本発明に係る携帯端末の外観について説明する。図４は本発明に係る携帯端末の一例の外観図である。同図（Ａ）は同携帯端末の側面図、同図（Ｂ）は同携帯端末の平面図である。同図（Ａ）および（Ｂ）にはフロントケース２１が表示されている。
【００３４】
図６（Ａ）を参照すると、関連する携帯端末ではフロントケース１とリアカバー２の嵌合部の割り線（パーティングライン）１２が外部に露出するが、図４（Ａ）を参照すれば明らかなように、本発明に係る携帯端末ではそのような割り線（パーティングライン）１２は外部に露出しない。これは、本発明に係る携帯端末ではフロントケース２１とリアカバー２の嵌合部において、フロントケース２１の側壁２１ａがリアカバー２２の側壁２２ａを覆うためである。
【００３５】
以上説明したように、本発明に係る携帯端末によれば、フロントケース２１の側壁２１ａをリアカバー２２の側壁２２ａの外側に張り出すよう形成しているため、フロントケース２１の側壁２１ａの高さを関連する携帯端末のフロントケース１の側壁１ａに比べ高くすることができ、かつ板金２３を側壁２１ａの張り出し部分に延出させて設けたため、フロントケース１の剛性の向上を図ることが可能となる（図３（Ｃ）および図５（Ｃ）参照）。
【００３６】
また、フロントケース２１の側壁２１ａをリアカバー２２の側壁２２ａの外側に張り出すよう形成しているため、リアカバー２２の側壁２２ａの高さがフロントケース２１の側壁２１ａの高さに吸収され、これにより、携帯端末の薄型化が可能となる（図３（Ｃ）参照）。
【００３７】
また、フロントケース２１の側壁２２ａがリアカバー２２の側壁２２ａを覆う構成であるため、割り線（パーティングライン）１２が外部に露出することがなく、これによりデザイン性の向上が可能となる（図４（Ａ）参照）。
【図面の簡単な説明】
【００３８】
【図１】本発明に係る携帯端末の第１筐体の一例の構成図である。
【図２】本発明に係る携帯端末の一例の組立図である。
【図３】本発明に係る携帯端末の一例の構成図である。
【図４】本発明に係る携帯端末の一例の外観図である。
【図５】関連する携帯端末、一例として携帯電話機の一例の構成図である。
【図６】関連する携帯端末、一例として携帯電話機の一例の外観図である。
【符号の説明】
【００３９】
４  表示部ユニット
５  プリント基板
６  スクリーン
２１  フロントケース（第１筐体）
２１ａ  側壁
２２  リアカバー（第２筐体）
２２ａ  側壁
２３  板金（金属板）
【図１】
2009071461.tif 000003
【図２】
2009071461.tif 000004
【図３】
2009071461.tif 000005
【図４】
2009071461.tif 000006
【図５】
2009071461.tif 000007
【図６】
2009071461.tif 000008